【手続補正書】
【提出日】平成18年6月16日(2006.6.16)
【手続補正１】
【補正対象書類名】明細書
【補正対象項目名】発明の名称
【補正方法】変更
【補正の内容】
【発明の名称】肛門観察・治療用案内管、肛門診断処置システム及び肛門治療用シース装置
【手続補正２】
【補正対象書類名】明細書
【補正対象項目名】特許請求の範囲
【補正方法】変更
【補正の内容】
【特許請求の範囲】
【請求項１】
先端近傍側面に形成された開口部を有する透明な中空シースと、
この中空シースに接続され、ハンドル部を持つ本体部と、
この本体部の口元部に取り付けられ、上記中空シースの手元開口端を閉塞し、かつ上記中空シース内に挿入した内視鏡を保持する保持部を有する気密手段と、
この気密手段を上記中空シースから外した状態で上記本体部を貫通して上記中空シースの内部に挿入され、上記本体部に対して取り付けられる透明なオプチュレータとからなる肛門観察・治療用案内管において、
上記気密手段には、上記内視鏡を挿入する第１の挿入孔と、長軸を有する器材を挿入する少なくとも一つの第２の挿入孔とが設けられ、この第２の挿入孔はこれを通じて挿入される上記器材を上記開口部に略直線的に導くように配置されることを特徴とする肛門観察・治療用案内管。
【請求項２】
上記第２の挿入孔は、上記器材として、治療を行うための処置具及び診断器具の少なくとも一方を挿通可能に形成されていることを特徴とする請求項１に記載の案内管。
【請求項３】
上記第２の挿入孔に挿入する器材の挿入方向の位置及び挿入量の少なくとも一方を検知する手段を、上記シースの内部に設けたことを特徴とする請求項１又は請求項２に記載の案内管。
【請求項４】
上記検知する手段は、上記シースの内部に着脱自在に配置されることを特徴とする請求項３に記載の案内管。
【請求項５】
上記開口部の開口縁に形成した突起にＯリングを掛けて配置し、このＯリングを解放する手段を設けたことを特徴とする請求項１に記載の案内管。
【請求項６】
少なくとも肛門管の深さにまで挿入される案内管であって、
挿入側先端部位に設けられ、器具を突き出す先端開口部と、
肛門に挿入される案内管の挿入深さを規制する挿入深さ規制手段と、
上記案内管の内部を通じて上記肛門管内に案内される上記器具を上記先端開口部より、肛門に対して気密状態で案内する気密手段と、
を有することを特徴とする案内管。
【請求項７】
上記挿入深さ規制手段は、上記案内管の外面に設けられた全周状の径拡大部であることを特徴とする請求項６に記載の案内管。
【請求項８】
上記案内管の先端部は、略半球状に形成されることを特徴とする請求項６又は請求項７に記載の案内管。
【請求項９】
請求項６〜８の何れかの請求項に記載の案内管と、略中央部に孔のあいた椅子に設置されて上記案内管を上記椅子の座面に対して突没自在に保持する昇降駆動装置を更に備えることを特徴とする肛門診断処置システム。
【請求項１０】
上記先端開口部より略弾丸形状をした挿入補助用カプセルが延在し、挿入補助用カプセルと上記先端開口部とは、離れた第１の位置と挿入補助用カプセルを先端開口部に装着あるいは埋没させる第２の位置との関係を形成することを特徴とする請求項６に記載の案内管。
【請求項１１】
上記挿入補助用カプセルは、上記案内管と柔軟な送気用管状部材により接続され、挿入補助用カプセルに設けられた１つ以上の孔と連通していることを特徴とする請求項１０に記載の案内管。
【請求項１２】
透明な中空の外シースと、
この外シースの壁部に開口された開口窓と、
上記外シース内に挿入され、上記開口窓を、外壁部で閉塞する透明な内シースと、
この内シースに設けられ、上記開口窓に位置決め可能な冷却プレートと、
この冷却プレートに冷凍治療用液化ガスを送り込むための管路と
を具備したことを特徴とする肛門治療用シース装置。
【請求項１３】
上記外シースに装着されるホルダを設け、このホルダにより内視鏡を保持し、この内視鏡により上記外シースおよび上記内シースの内側から治療状況を観察することを特徴とする請求項１２に記載の肛門治療用シース装置。
【請求項１４】
上記内シースは、上記外シースに挿入した状態で上記外シースの軸回りに回転自在であることを特徴とする請求項１２に記載の肛門治療用シース装置。
【請求項１５】
上記冷却プレートの温度を測定するセンサを有し、上記冷却プレートの温度を制御するようにしたことを特徴とする請求項１２に記載の肛門治療用シース装置。
【手続補正３】
【補正対象書類名】明細書
【補正対象項目名】０００１
【補正方法】変更
【補正の内容】
【０００１】
【発明の属する技術分野】
本発明は、肛門に発生した痔核等の病変部を外科的に治療する際に使用する肛門観察・治療用案内管、肛門診断処置システム及び肛門治療用シース装置に関する。
【手続補正４】
【補正対象書類名】明細書
【補正対象項目名】０００３
【補正方法】変更
【補正の内容】
【０００３】
本発明の目的とするところは、正常組織を損傷させることなく、容易かつ確実に病変部を治療することが出来る肛門観察・治療用案内管、肛門診断処置システム及び肛門治療用シース装置を提供することにある。
【手続補正５】
【補正対象書類名】明細書
【補正対象項目名】０００４
【補正方法】変更
【補正の内容】
【０００４】
【課題を解決するための手段】
請求項１に係る発明は、先端近傍側面に形成された開口部を有する透明な中空シースと、この中空シースに接続され、ハンドル部を持つ本体部と、この本体部の口元部に取り付けられ、上記中空シースの手元開口端を閉塞し、かつ上記中空シース内に挿入した内視鏡を保持する保持部を有する気密手段と、この気密手段を上記中空シースから外した状態で上記本体部を貫通して上記中空シースの内部に挿入され、上記本体部に対して取り付けられる透明なオプチュレータとからなる肛門観察・治療用案内管において、上記気密手段には、上記内視鏡を挿入する第１の挿入孔と、長軸を有する器材を挿入する少なくとも一つの第２の挿入孔とが設けられ、この第２の挿入孔はこれを通じて挿入される上記器材を上記開口部に略直線的に導くように配置されることを特徴とする肛門観察・治療用案内管である。
【手続補正６】
【補正対象書類名】明細書
【補正対象項目名】０００５
【補正方法】変更
【補正の内容】
【０００５】
請求項２に係る発明は、上記第２の挿入孔は、上記器材として、治療を行うための処置具及び診断器具の少なくとも一方を挿通可能に形成されていることを特徴とする請求項１に記載の案内管である。
【手続補正７】
【補正対象書類名】明細書
【補正対象項目名】０００６
【補正方法】変更
【補正の内容】
【０００６】
請求項３に係る発明は、上記第２の挿入孔に挿入する器材の挿入方向の位置及び挿入量の少なくとも一方を検知する手段を、上記シースの内部に設けたことを特徴とする請求項１又は請求項２に記載の案内管である。
【手続補正８】
【補正対象書類名】明細書
【補正対象項目名】０００７
【補正方法】変更
【補正の内容】
【０００７】
請求項４に係る発明は、上記検知する手段は、上記シースの内部に着脱自在に配置されることを特徴とする請求項３に記載の案内管である。
請求項５に係る発明は、上記開口部の開口縁に形成した突起にＯリングを掛けて配置し、このＯリングを解放する手段を設けたことを特徴とする請求項１に記載の案内管である。
請求項６に係る発明は、少なくとも肛門管の深さにまで挿入される案内管であって、挿入側先端部位に設けられた、器具を突き出す先端開口部と、肛門に挿入される案内管の挿入深さを規制する挿入深さ規制手段と、上記案内管の内部を通じて上記肛門管内に案内される上記器具を上記先端開口部より肛門に対して気密状態で案内する手段と、を有することを特徴とする案内管である。
請求項７に係る発明は、上記挿入深さ規制手段は、上記案内管の外面に設けられた全周状の径拡大部であることを特徴とする請求項６に記載の案内管。
請求項８に係る発明は、上記案内管の先端部は、略半球状に形成されることを特徴とする請求項６又は請求項７に記載の案内管である。
請求項９に係る発明は、請求項６〜８の何れかの請求項に記載の案内管と、略中央部に孔のあいた椅子に設置されて上記案内管を上記椅子の座面に対して突没自在に保持する昇降駆動装置を更に備えることを特徴とする肛門診断処置システムである。
請求項１０に係る発明は、上記先端開口部より略弾丸形状をした挿入補助用カプセルが延在し、挿入補助用カプセルと上記先端開口部とは、離れた第１の位置と挿入補助用カプセルを先端開口部に装着あるいは埋没させる第２の位置との関係を形成することを特徴とする請求項６に記載の案内管である。
請求項１１に係る発明は、上記挿入補助用カプセルは、上記案内管と柔軟な送気用管状部材により接続され、挿入補助用カプセルに設けられた１つ以上の孔と連通していることを特徴とする請求項１０に記載の案内管である。
請求項１２に係る発明は、透明な中空の外シースと、この外シースの壁部に開口された開口窓と、上記外シース内に挿入され、上記開口窓を、外壁部で閉塞する透明な内シースと、この内シースに設けられ、上記開口窓に位置決め可能な冷却プレートと、この冷却プレートに冷凍治療用液化ガスを送り込むための管路とを具備したことを特徴とする肛門治療用シース装置である。
請求項１３に係る発明は、上記外シースに装着されるホルダを設け、このホルダにより内視鏡を保持し、この内視鏡により上記外シースおよび上記内シースの内側から治療状況を観察することを特徴とする請求項１２に記載の肛門治療用シース装置である。
請求項１４に係る発明は、上記内シースは、上記外シースに挿入した状態で上記外シースの軸回りに回転自在であることを特徴とする請求項１２に記載の肛門治療用シース装置である。
請求項１５に係る発明は、上記冷却プレートの温度を測定するセンサを有し、上記冷却プレートの温度を制御するようにしたことを特徴とする請求項１２に記載の肛門治療用シース装置である。
【手続補正９】
【補正対象書類名】明細書
【補正対象項目名】００６５
【補正方法】変更
【補正の内容】
【００６５】
【発明の効果】
以上説明したように本発明によれば、正常組織を損傷させることなく、容易かつ確実に病変部を治療することが出来る。